(57)【要約】【課題】冷気供給口から製氷室内に供給される冷気が製氷室扉や仕切り部に直接的に当たってしまうことを回避することができ、製氷室扉や仕切り部に結露が発生してしまうことを防止することができる冷蔵庫を提供する。【解決手段】本実施形態に係る冷蔵庫は、製氷室と、前記製氷室内に冷気を供給する冷気供給口と、前記製氷室内に収容されるアイスボックスと、前記アイスボックスにおいて氷以外の要素が収容される部分に設けられる非氷収容部と、前記非氷収容部に設けられ、前記製氷室の奥側に向かって開口する開口部と、を備える。【選択図】図２
2019007646.tif 000002
【特許請求の範囲】
【請求項１】
製氷室と、
前記製氷室内に冷気を供給する冷気供給口と、
前記製氷室内に収容されるアイスボックスと、
前記アイスボックスにおいて氷以外の要素が収容される部分に設けられる非氷収容部と、
前記非氷収容部に設けられ、前記製氷室の奥側に向かって開口する開口部と、
を備える冷蔵庫。
【請求項２】
前記非氷収容部は、傾斜部を有し、
前記開口部は、前記傾斜部に設けられている請求項１に記載の冷蔵庫。
【請求項３】
前記製氷室を開閉する製氷室扉と、
前記製氷室と当該製氷室の下の貯蔵室とを仕切る仕切り部と、をさらに備え、
前記開口部は、前記製氷室扉および前記仕切り部の双方に向かわない方向に向かって開口している請求項１または２に記載の冷蔵庫。
【請求項４】
前記製氷室の底部を構成する底板をさらに備え、
前記開口部は、前記底板に向かって開口している請求項３に記載の冷蔵庫。
【請求項５】
前記底板は、前記仕切り部よりも低い位置に設けられており、前記アイスボックスの底面との間に、冷気が流れる冷気流路を形成している請求項４に記載の冷蔵庫。
【請求項６】
前記アイスボックスは、前記開口部よりも前記製氷機の奥側とは反対側の位置にリブをさらに備える請求項１から５の何れか１項に記載の冷蔵庫。
【請求項７】
前記アイスボックスは、前記冷気供給口から供給される冷気を前記開口部に向かって誘導する誘導部をさらに備える請求項１から６の何れか１項に記載の冷蔵庫。
【請求項８】
氷以外の要素であるアイスシャベルを収容するアイスシャベル収容部を前記非氷収容部として備え、
前記アイスシャベル収容部において前記開口部が設けられている領域は、前記アイスシャベルの長さよりも長くなっている請求項１から７の何れか１項に記載の冷蔵庫。
【請求項９】
前記アイスボックスにおいて、前記製氷室の奥側とは反対側の壁部は、閉塞されており、且つ、前記製氷室の奥側の壁部よりも高くなっている請求項１から８の何れか１項に記載の冷蔵庫。
【発明の詳細な説明】
【技術分野】
【０００１】
本実施形態は、冷蔵庫に関する。
【背景技術】
【０００２】
例えば特許文献１に開示されているように、製氷室を備える冷蔵庫には、製氷室内に設けられるアイスボックス、製氷室を開閉する製氷室扉、製氷室と当該製氷室の下の貯蔵室とを仕切る仕切り部などが設けられる。
【先行技術文献】
【特許文献】
【０００３】
【特許文献１】特開２０１２−０７８０７８号公報
【発明の概要】
【発明が解決しようとする課題】
【０００４】
製氷室を備える冷蔵庫においては、冷気供給口から製氷室内に供給される冷気が製氷室扉や仕切り部などに直接的に当たってしまい、冷却された扉や仕切り部に結露が発生するおそれがある。
【０００５】
本実施形態は、冷気供給口から製氷室内に供給される冷気が製氷室扉や仕切り部に直接的に当たってしまうことを回避することができ、製氷室扉や仕切り部に結露が発生してしまうことを防止することができる冷蔵庫を提供する。
【課題を解決するための手段】
【０００６】
本実施形態に係る冷蔵庫は、製氷室、冷気供給口、アイスボックス、非氷収容部、開口部を備える。冷気供給口は、前記製氷室内に冷気を供給する。アイスボックスは、前記製氷室内に収容される。非氷収容部は、前記アイスボックスにおいて氷以外の要素が収容される部分に設けられている。開口部は、前記非氷収容部に設けられ、前記製氷室の奥側に向かって開口する。
【図面の簡単な説明】
【０００７】
【図１】本実施形態に係る冷蔵庫の構成例を概略的に示す正面図
【図２】製氷室およびその周辺部分の構成例を概略的に示す縦断側面図
【図３】傾斜部およびその周辺部分の構成例を概略的に示すアイスボックスの縦断正面図
【発明を実施するための形態】
【０００８】
以下、冷蔵庫に係る一実施形態について図面を参照しながら説明する。図１に例示する冷蔵庫１は、断熱性を有するキャビネットにより構成されており、その内部に上から順に冷蔵室３、野菜室４が設けられており、野菜室４の下に製氷室５と上部冷凍室６が左右に並んで設けられ、最下部に下部冷凍室７が設けられている。このうち、冷蔵室３と野菜室４は冷蔵温度帯の貯蔵室であり、製氷室５、上部冷凍室６および下部冷凍室７は冷凍温度帯の貯蔵室である。冷蔵庫１は、図示しない周知の冷凍サイクルを備えており、この冷凍サイクルにより生成される冷気が、図示しないファンによる送風作用により各貯蔵室内に供給されるようになっている。
【０００９】
これら冷蔵室３、野菜室４、製氷室５、上部冷凍室６および下部冷凍室７は、周知のように前面開口を有し、その前面開口が扉によって開閉される貯蔵室である。冷蔵室３は、左右に並んで設けられ、左端側を軸に回動し、ユーザがタッチ操作する操作パネル８が設けられている左扉３ａと、右端側を軸に回動する右扉３ｂとによって前面開口が開閉される。また、野菜室４、製氷室５、上部冷凍室６および下部冷凍室７は、引き出し式の野菜室扉４ａ、製氷室扉５ａ、上部冷凍室扉６ａおよび下部冷凍室扉７ａによってそれぞれの前面開口が開閉される。
【００１０】
図２に例示するように、製氷室５と下部冷凍室７との間は、仕切り部１０および底板１１により仕切られている。この場合、仕切り部１０は、冷蔵庫１の左右方向に沿って延びており、製氷室５と下部冷凍室７との間の前部を仕切っている。底板１１は、その仕切り部１０の後方側に設けられている。底板１１は、製氷室５と下部冷凍室７との間において、仕切り部１０を除くほぼ全域の部分を仕切っている。また、底板１１の板厚は、仕切り部１０の上下方向の寸法よりも薄くなっている。また、底板１１は、仕切り部１０の上面よりも低い位置に取り付けられている。
【００１１】
製氷室５内には、当該製氷室５内に冷気を供給する冷気供給口２０が設けられている。冷気供給口２０は、この場合、製氷室５の後壁部の上部に設けられている。また、冷気供給口２０は、製氷室５の後壁部の上部から前方側つまり製氷室扉５ａ側に向かって開口している。よって、冷気供給口２０から供給される冷気Ｆは、主として、冷気供給口２０の先端部から前方側つまり製氷室扉５ａ側に向かって流れる。
【００１２】
また、製氷室５の内部には、アイスボックス３０が収容されている。アイスボックス３０は、製氷室５を開閉する引き出し式の製氷室扉５ａの裏面に着脱可能に取り付けられており、これにより、アイスボックス３０は、製氷室扉５ａの開閉に伴い製氷室５から出し入れされるようになっている。アイスボックス３０は、製氷室５内の上部に設けられている図示しない製氷機が生成する氷を貯蔵する。
【００１３】
次に、アイスボックス３０の構成例について詳細に説明する。即ち、アイスボックス３０は、氷が収容される氷収容部３１、および、図３に例示するアイスシャベル１００が収容されるアイスシャベル収容部３２を備えている。氷収容部３１は、アイスボックス３０の殆どの部分を占めており、この場合、アイスボックス３０の後方側つまり冷気供給口２０が設けられている製氷室５の奥側に設けられている。
【００１４】
アイスシャベル収容部３２は、アイスボックス３０のうち氷収容部３１以外の部分を占めており、この場合、アイスボックス３０の前方側つまり製氷室扉５ａ側に設けられている。アイスボックス３０の内部には上下方向に延びる仕切り壁３３が設けられており、この仕切り壁３３により、アイスボックス３０の内部は、氷収容部３１とアイスシャベル収容部３２とに区画されている。アイスシャベル収容部３２は、非氷収容部の一例であり、この場合、図３に例示するアイスシャベル１００が収容される部分に設けられている。アイスシャベル１００は、氷以外の要素の一例である。
【００１５】
氷収容部３１の底部は、その全体が水平方向に延びる平坦な面となっている。これにより、氷収容部３１内のスペースを大きく確保することができ、より多くの氷を貯蔵することができる。なお、氷収容部３１の後部には、前方側つまり製氷室扉５ａ側に向かって膨出する膨出部３１ａが設けられている。
【００１６】
これに対して、アイスシャベル収容部３２の底部は、その全体が水平方向に延びる平坦な面とはなっておらず、傾斜部３２ａおよび膨出部３２ｂを有した構成となっている。傾斜部３２ａは、アイスシャベル収容部３２の底部の後方側つまり製氷室５の奥側に設けられており、その上端部が前方側から後方側に向かって製氷室５の奥側に向かって倒れるようにして傾斜している。また、傾斜部３２ａは、その基端部である下端部から先端部である上端部に向かって上昇するように傾斜している。また、傾斜部３２ａの法線方向は、製氷室扉５ａや仕切り部１０側に向かっておらず、仕切り部１０の後方側、つまり、底板１１に向かっている。
【００１７】
傾斜部３２ａには、当該傾斜部３２ａを貫通する開口部３２ｃが設けられている。この開口部３２ｃは、アイスシャベル収容部３２の底部の後方側に設けられる傾斜部３２ａに設けられていることから、前方側である製氷室扉５ａ側や下方側である仕切り部１０側に向かうのではなく、後方側である製氷室５の奥側に向かって、より具体的には、仕切り部１０よりも製氷室５の奥側に設けられている底板１１に向かって開口する開口部となっている。また、開口部２２ａは、法線方向が底板１１に向かう傾斜部３２ａに設けられていることから、仕切り部１０よりも後方側に存在する底板１１に向かって開口する開口部となっている。
【００１８】
膨出部３２ｂは、後方側つまり製氷室５の奥側に向かって膨出している。膨出部３２ｂの上部は、前方側から後方側に向かって下降するように傾斜する傾斜面となっており、その傾斜面に沿う先に、傾斜部３２ａおよび開口部３２ｃが存在する構成となっている。この膨出部３２ｂは、詳しくは後述するように、冷気供給口２０から供給される冷気Ｆを開口部３２ｃに向かって誘導する誘導部として機能する。
【００１９】
また、アイスボックス３０は、リブ３４を備えている。このリブ３４は、アイスシャベル収容部３２の底部から下方に突出している。また、リブ３４は、開口部３２ｃを有する傾斜部３２ａよりも前方側つまり冷気供給口２０側とは反対側である製氷室扉５ａ側に設けられている。また、リブ３４の先端部つまり下端部は、仕切り部１０の上面に対し上方から所定の隙間を有して対向する。なお、この所定の隙間の大きさは、適宜変更して設定することができる。
【００２０】
また、アイスボックス３０は、前方側つまり製氷室扉５ａ側に前壁部３１ｂを有し、後方側つまり冷気供給口２０が設けられている製氷室５の奥側に後壁部３１ｃを有する。前壁部３１ｂは、その全体が閉塞されており、当該前壁部３１ｂを貫通する開口部を有さない構成となっている。後壁部３１ｃは、ほぼ全体が閉塞されているが、その一部に上下方向に延びるスリット３１ｄを有した構成となっている。スリット３１ｄは、図示しない製氷機の検氷レバーを通過させるためのスリットである。アイスボックス３０の左右の両壁部は、前方側が高く、後方側が低くなる段差を有した形状となっており、その全体が閉塞された構成となっている。アイスボックス３０において、前壁部３１ｂの上下方向の寸法つまりアイスボックス３０の底部から当該前壁部３１ｂの上端部までの高さ寸法は、後壁部３１ｃの上下方向の寸法つまりアイスボックス３０の底部から当該後壁部３１ｃの上端部までの高さ寸法よりも高くなっている。
【００２１】
また、上述した通り、底板１１は、仕切り部１０の上面よりも低い位置に取り付けられている。そのため、製氷室５内にアイスボックス３０が収容された状態では、アイスボックス３０の底面と底板１１との間に空間が形成される。詳しくは後述するように、この空間は、アイスボックス３０の下方において冷気Ｆが流れる冷気流路４０として機能する。
【００２２】
図３に例示するように、アイスシャベル収容部３２の傾斜部３２ａには、開口部形成領域Ｒが設定されており、本実施形態では、この開口部形成領域Ｒ内に複数の開口部３２ｃが設けられている。この場合、複数の開口部３２ｃは、冷蔵庫１の左右方向に沿って直線状に配列されている。開口部形成領域Ｒは、複数の開口部３２ｃを全て含む領域であれば、その大きさを適宜変更して設定することができる。本実施形態では、左右方向の両端部の開口部３２ｃから所定長さのオフセットＲａをとった領域を開口部形成領域Ｒとして設定している。なお、オフセットＲａの値は、適宜変更して設定することができる。また、開口部３２ｃの数は、適宜変更して設定することができ、例えば、２つ以上の複数であってもよいし、１つであってもよい。また、開口部３２ｃは、相互に等間隔で設けてもよいし、不等間隔で設けてもよい。また、開口部３２ｃは、複数列、例えば、上下に２列や３列などの複数列で配列してもよい。また、開口部３２ｃの開口形状は、適宜変更して設定することができ、例えば、円形状、楕円形状、スリット状、多角形状など種々の形状を採用することができる。
【００２３】
そして、開口部３２ｃが設けられている開口部形成領域Ｒの幅寸法Ｄ１つまり冷蔵庫１の左右方向に沿う寸法Ｄ１は、アイスシャベル１００の長さＤ２よりも長くなっている。アイスシャベル１００の長さＤ２は、当該アイスシャベル１００の長手方向の長さであり、具体的には、ユーザが把持する把持部１００ａの基端部から、氷をすくうすくい部１００ｂの先端部までの長さである。
【００２４】
次に、冷蔵庫１による製氷室５内での冷気Ｆの流れについて説明する。即ち、図２に例示するように、冷気供給口２０から吹き出される冷気Ｆは、製氷室５内を前方側つまり製氷室扉５ａ側に向かって流れる。そして、その冷気Ｆは、製氷室扉５ａの裏面に到達する前にアイスボックス３０の前壁部３１ｂにより下方に向かってガイドされて、アイスシャベル収容部３２内に向かう。そして、アイスシャベル収容部３２内に案内された冷気Ｆは、アイスシャベル収容部３２の底部の開口部３２ｃからアイスボックス３０の下方に流出する。このとき、アイスシャベル収容部３２に案内された冷気Ｆの一部は、膨出部３２ｂの傾斜にガイドされて開口部３２ｃに向かう。即ち、膨出部３２ｂは、冷気供給口２０から供給される冷気Ｆを、アイスシャベル収容部３２内において開口部３２ｃに向かって誘導する。
【００２５】
これにより、冷気供給口２０から供給される冷気Ｆは、アイスシャベル収容部３２を経由して開口部３２ｃに向かって流れやすくなる。そして、開口部３２ｃから流出した冷気Ｆは、アイスボックス３０の下方の冷気流路４０を流れて製氷室５の奥側に向かう。このとき、開口部３２ｃから流出した冷気Ｆは、リブ３４により遮られることにより当該開口部３２ｃよりも前方側、具体的には、製氷室扉５ａ側や仕切り部１０側には流れにくくなっている。
【００２６】
本実施形態に係る冷蔵庫１によれば、製氷室５内に収容されるアイスボックス３０は、アイスシャベル１００が収容される部分に設けられるアイスシャベル収容部３２に、製氷室５の奥側に向かって開口する開口部３２ｃを備えている。この構成によれば、アイスボックス３０に供給される冷気Ｆは、開口部３２ｃから流出して製氷室５の奥側に向かって流れやすくなる。従って、冷気供給口２０から製氷室５内に供給される冷気Ｆが製氷室扉５ａや仕切り部１０に直接的に当たってしまうことを回避することができ、製氷室扉５ａや仕切り部１０に結露が発生してしまうことを防止することができる。
【００２７】
また、冷蔵庫１によれば、アイスシャベル収容部３２は、法線方向が製氷室扉５ａ側や仕切り部１０側に向かっていない傾斜部３２ａを有し、アイスボックス３０に供給される冷気Ｆを流出させる開口部３２ｃは、その傾斜部３２ａに設けられている。この構成によれば、開口部３２ｃから流出する冷気Ｆが製氷室扉５ａ側や仕切り部１０側に向かうことを一層回避することができ、製氷室扉５ａや仕切り部１０に結露が発生してしまうことを一層防止することができる。
【００２８】
また、冷蔵庫１によれば、傾斜部３２ａの法線方向が製氷室扉５ａ側や仕切り部１０側に向かっていないことから、この傾斜部３２ａに設けられる開口部３２ｃの開口方向も製氷室扉５ａ側および仕切り部１０側の双方に向かわない方向とすることができる。よって、開口部３２ｃから流出する冷気Ｆが製氷室扉５ａ側や仕切り部１０側に向かうことを一層回避することができ、製氷室扉５ａや仕切り部１０に結露が発生してしまうことを一層防止することができる。
【００２９】
また、冷蔵庫１によれば、開口部３２ｃは、アイスボックス３０の下方の底板１１に向かって開口している。この構成によれば、開口部３２ｃから流出する冷気Ｆを、製氷室扉５ａ側や仕切り部１０側ではなく、アイスボックス３０の下方の底板１１側に導くことができる。よって、開口部３２ｃから流出する冷気Ｆが製氷室扉５ａ側や仕切り部１０側に向かうことを一層回避することができ、製氷室扉５ａや仕切り部１０に結露が発生してしまうことを一層防止することができる。
【００３０】
さらに、冷蔵庫１によれば、その底板１１が仕切り部１０よりも低い位置に設けられていることにより、アイスボックス３０の底面と底板１１の上面との間に冷気流路４０が形成されている。この構成によれば、開口部３２ｃから流出する冷気Ｆを、製氷室扉５ａ側や仕切り部１０側ではなく、冷気流路４０を通して製氷室５内の奥側に効率良く導くことができる。
【００３１】
また、冷蔵庫１によれば、アイスボックス３０は、開口部３２ｃよりも前方側つまり製氷室５の奥側とは反対側の位置にリブ３４を備えている。この構成によれば、開口部３２ｃから流出する冷気Ｆを、前方側ではなく、後方側つまり製氷室扉５ａ側や仕切り部１０側に向かわない側に導きやすくすることができ、製氷室扉５ａや仕切り部１０に結露が発生してしまうことを一層防止することができる。
【００３２】
また、冷蔵庫１によれば、膨出部３２ｂは、冷気供給口２０から供給される冷気Ｆを、アイスシャベル収容部３２内において開口部３２ｃに向かって誘導する誘導部として機能する。この構成によれば、製氷室扉５ａや仕切り部１０の近傍に位置するアイスシャベル収容部３２内において冷気Ｆが滞留してしまうことを回避することができ、アイスシャベル収容部３２およびその周辺部分、換言すれば製氷室扉５ａや仕切り部１０の近傍が過剰に冷却されてしまうことを回避することができ、製氷室扉５ａや仕切り部１０に結露が発生してしまうことを一層防止することができる。
【００３３】
また、冷蔵庫１によれば、アイスシャベル収容部３２において開口部３２ｃが設けられている開口部形成領域Ｒは、当該アイスシャベル収容部３２内に収容されるアイスシャベル１００の長さよりも長くなっている。この構成によれば、開口部形成領域Ｒ内の開口部３２ｃの全体がアイスシャベル１００によって塞がれてしまうことを回避することができ、開口部３２ｃを通した冷気Ｆの流れを良好に維持することができる。
【００３４】
また、冷蔵庫１によれば、アイスボックス３０において、前壁部３１ｂは、閉塞されており、且つ、後壁部３１ｃよりも高くなっている。アイスボックス３０の前壁部３１ｂは、製氷室扉５ａの裏側に対向する壁部であり、この前壁部３１ｂが閉塞されていることにより、冷気供給口２０から供給される冷気Ｆが製氷室扉５ａの裏面に直接的に当たってしまうことを防止することができる。また、アイスボックス３０の後壁部３１ｃは、冷気供給口２０が設けられている製氷室５の後壁部に対向する壁部であり、この後壁部３１ｃが、少なくとも前壁部３１ｂよりも低くなっていることにより、冷気供給口２０が後壁部３１ｃによって塞がれてしまうことを回避することができ、冷気供給口２０から製氷室５内、ひいては、アイスボックス３０内への冷気Ｆの流路を十分に確保することができる。
【００３５】
なお、本実施形態は、上述した実施形態に限定されるものではなく、例えば次のように拡張または変形することができる。例えば、開口部３２ｃは、アイスボックス３０の側面に設けてもよい。この場合、アイスボックス３０の側面のうち開口部３２ｃを設ける部分を、法線方向が製氷室扉５ａや仕切り部１０に向かわない方向となるように傾斜する傾斜部とすることにより、製氷室扉５ａや仕切り部１０に結露が発生してしまうことを一層防止することができる。
【００３６】
本実施形態に係る冷蔵庫は、アイスボックスにおいて氷以外の要素が収容される部分に設けられる非氷収容部に、製氷室の奥側に向かって開口する開口部を備えている。この構成によれば、冷気供給口から製氷室内に供給される冷気が製氷室扉や仕切り部に直接的に当たってしまうことを回避することができ、製氷室扉や仕切り部に結露が発生してしまうことを防止することができる。
【００３７】
以上、本発明の一実施形態を説明したが、本実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。本実施形態やその変形は、発明の範囲や要旨に含まれるとともに、特許請求の範囲に記載された発明とその均等の範囲に含まれる。
【符号の説明】
【００３８】
図面中、１は冷蔵庫、５は製氷室、５ａは製氷室扉、１０は仕切り部、１１は底板、２０は冷気供給口、３０はアイスボックス、３１ｂは前壁部（製氷室の奥側とは反対側の壁部）、３１ｃは後壁部（製氷室の奥側の壁部）、３２はアイスシャベル収容部（非氷収容部）、３２ａは傾斜部、３２ｂは膨出部（誘導部）、３２ｃは開口部、３４はリブ、４０は冷気流路、１００はアイスシャベルを示す。
【図１】
2019007646.tif 000003
【図２】
2019007646.tif 000004
【図３】
2019007646.tif 000005